(57)【特許請求の範囲】
【請求項１】
固着具打込機の本体に根元部が軸支されたトリガレバーと、トリガレバーの先端側に軸支され、トリガバルブのバルブピンを押込み得るようにトリガレバーの根元部の方に延びたトリップレバーと、固着具打込機のノーズの先端部からトリガレバー近くまで延び、ノーズ先端部が打込対象物に押しつけられない限りトリップレバーをトリガバルブピンを押込める有効作動位置には保持しない安全アームと、トリガレバーをひいたままノーズ先端部を打込対象物に押付ける毎に固着具を打込む連続打ち動作とノーズ先端部を打込対象物に押付けて且つトリガレバーの引き操作を行うときにだけ固着具を打込む単発打ち動作とを切換える打込動作切換手段とを有する固着具打込機のトリガ装置において、
前記打込動作切換手段は、トリガレバーの軸部に近い打込機本体において該軸部とほぼ平行に延びる旋回軸に旋回可能に支持された打込動作切換レバーから成り、
該打込動作切換レバーは、前記旋回軸から安全アームの先端及びトリップレバーの先端に係合するように延びた連続打込動作部分と、該連続打込動作部分に前記旋回軸の軸方向に並んで旋回軸から安全アームの先端及びトリップレバーの先端に係合するように延びるが前記連続打込動作部分より短く形成された単発打込動作部分とを備え、
更に、該打込動作切換レバーを前記旋回軸の軸方向に移動させて前記連続打込動作部分を有効にする連続打込動作位置または前記単発打込動作部分を有効にする単発打込動作位置に選択的に支持する選択手段が設けられており、
前記連続打込動作部分の先端は、安全アーム先端の運動がトリップレバーの先端に伝達されるように安全アームの先端とトリップレバーの先端とに係合できる位置にあって、トリガレバーをひいたままノーズ先端部を打込対象物に押付けるとトリガバルブのバルブピンが駆動され、及び、ノーズ先端を打込対象物に押付けた状態でトリガレバーの引き操作を行うとバルブピンが駆動されるように、形成され、
前記単発打込動作部分の先端は、安全アーム先端に係合できる位置であって且つ安全アームが該単発打込動作部分の先端を押圧係合した状態でトリガレバーを引き操作したときだけトリップレバーの先端に係合する位置にあり、ノーズ先端を打込対象物に押付けた状態でトリガレバーの引き操作を行うときだけバルブピンが駆動されるように、形成され、
前記単発打込動作部分の長さは、トリガレバーの引き操作を行った後にノーズ先端を打込対象物に押付けた場合安全アーム先端が該単発打込動作部分を押圧係合しても該部分はトリップレバーには係合せず、またノーズ先端を打込対象物に押付けたままの状態でトリガレバーを解放するとトリップレバーが該単発打込動作部分の先端を越えてバルブピン側に旋回できる長さであって、更に、このトリップレバーが旋回した状態でのトリガレバーの再引き操作によって単発打込動作部分の先端が旋回したトリップレバーの先端に係合してバルブピンを駆動することができる長さである、
ことを特徴とする固着具打込機のトリガ装置。
【請求項２】
請求項１に記載のトリガ装置において、
前記選択手段は、打込動作切換レバーを、前記旋回軸の軸方向に、前記連続打込動作位置と前記単発打込動作位置との間で移動させるように、打込機本体にスライド可能に設けた棒状の選択部材で形成され、該棒状選択部材には、打込動作切換レバーを選択した前記位置に保持する保持手段が係合している、
ことを特徴とするトリガ装置。
【発明の詳細な説明】
【０００１】
【産業上の利用分野】
本発明は、例えば、釘打機のような固着具打込機、特に、固着具打込機におけるトリガ装置に関する。
【０００２】
【従来の技術】
固着具打込機の本体に根元部が軸支されたトリガレバーと、トリガレバーの先端側に軸支され、トリガバルブのバルブピンを押さえ得るようにトリガレバーの根元部の方に延びたトリップレバーと、固着具打込機のノーズの先端部からトリガレバー近くまで延び、ノーズ先端部が打込対象物に押しつけられない限りトリップレバーをトリガバルブピンを押込める有効作動位置には保持しない安全アームとを有する固着具打込機のトリガ装置は知られている。安全アームが設けられるのは、固着具が打ち込まれる対象物に打込機のノーズが押し当てられていない状態では固着具が打ち出される事故を防止するためである。安全アームは打込機のノーズ先端からトリガレバー付近まで延びており、トリガレバー側の先端は打込機のノーズがパネル等の対象物に押し付けられたときトリガレバー側に移動してトリップレバーを有効作動位置に保持してトリガ装置の作動を可能にする。
【０００３】
かかる安全アームを有する打込機においては、その安全アームの機能を利用して２つの打込み方法がある。すなわち、一般に単発打ちと呼ばれるトリガレバーを引くたびに１本ずつ打込む方法と、連続打ちと呼ばれる安全アームを押しつけるたびに打込む方法がある。単発打ちは、打込対象物にノーズ先端部を押しつけた後にトリガレバーを引き、棒状の打撃部材を駆動して釘等の固着具を打込対象物に打込み、次にトリガレバーを解放してノーズの押しつけも解除し、トリガレバーを引くたびに１発ずつ釘等を打込む。連続打ちは、トリガレバーを引いた状態で打込対象物の所定の位置にノーズ先端部を押しつけるものである。この場合には、トリガレバーが予め引いてあるのでノーズ先端部を押しつけるたびに釘等を打込むことができ、押しつけだけで多数の固着具を連続的に打込むことができる。この連続打ちは、打込みの時間が短縮できるので多用されている。しかし、打込対象物が打込み時の振動を吸収できずに打込んだときの反動でノーズが打込対象物から一旦離れて直ぐに打込対象物に再押付けされる場合には、打撃部材が一旦復帰して次の釘等を同じ箇所に打込んでしまう惧れがある。これは、打込対象物を傷つけたり、工具の中で釘等が詰まってしまって、その修復に手間がかかったり、更には工具を駄目にしてしまうこともある。このため、打込対象物及び作業の状況に応じて、連続打ちと単発打ちとが選択される。
【０００４】
上記のように、安全アームを利用して単発打ちと連続打ちとを選択することができるが、連続打ちでは作業効率が重視され、単発打ちの場合には、二重打ちという誤射の防止が重視される。しかし、単発打ちの場合であっても、打込対象物が相当に硬いものなどの場合、瞬時ではあってもノーズが打込対象物から離れて上がっていた安全アームが一旦下がって直ぐに上がる動作をすることがある。これは、連続打ちのときの二重打ちと同じ結果となり好ましくない。すなわち、単発打ちでも連続打ちの場合のような二重打ちの惧れがある。このような、単発打ちにおける二重打ちを防止するため、トリガレバーの引き代を調整して、トリガバルブのバルブピンの押込み長さを調整するトリガ装置がある。このトリガ装置では、単発打ちにおいて二重打ちの不具合を防止できるものの、トリガレバーを引いた後において安全アームを動作させると固着具を１発発射してしまう。単発打ちの場合、安全アームの動作の前にトリガレバーを引いても、固着具は発射されるべきでないから、このトリガ装置の単発打ち動作は、不完全なものとなっている。
【０００５】
単発打ちにおける二重打ちを防止して単発打ちをより確実にできるようにし、安全性の向上を図る固着具打込機が、特開平３−１１１１７９号公報に開示されている。この特開平３−１１１１７９号公報に記載のトリガ装置には、トリガレバーを旋回可能に支持する軸部を、トリガレバーの先端の方に一定長さずらす移動手段が設けられ、この移動手段が、トリガレバーをひいたままノーズ先端部を打込対象物に押付ける毎に固着具を打込む連続打ち動作とノーズ先端部を打込対象物に押付けて且つトリガレバーの引き操作を行うときにだけ固着具を打込む単発打ち動作とを切換える打込動作切換手段となっている。特に、トリガレバーの支持軸部をトリガレバーの先端側に移動させた単発打込動作位置においては、トリガレバーを引いたままでノーズの押しつけが解除されるとトリップレバーが非有効作動位置に移動し、単発打ちにおける二重打ちを防止している。このトリガ装置では、トリガレバーを引いた後において安全アームを動作させても固着具を発射することはなく、単発打ち動作を確実に行っている。
【０００６】
【発明が解決しようとする課題】
しかしながら、上記公報掲載のトリガ装置は、トリガレバーの旋回中心となる軸部が移動するのでトリガレバー全体が移動することになる。このため、作業者は単発打込動作と連続打込動作とを切換えるたびに操作感覚に違和感があり、打込操作に狂いを生じることがある。また、トリガレバーの移動に伴ってトリップレバーの位置も移動しその旋回範囲が変化することとなるため、駆動するバルブピンに対する位置が相対的に変化することになる。この変化に対処するための構成は、各部材の寸法精度を厳しくすることを要求し、組立の精度も厳しくなっている。更に、単発打込動作を行う場合、トリガレバーを先に引いた後にノーズ先端を打込対象物に押圧したとき、固着具の打込みはないのであるが、ノーズ先端を打込対象物に押圧したままで、トリガレバーを解放して再度トリガレバーを引いても、固着具の打込みをできないことが分かった。そのため、トリガレバーの解放だけでなく、ノーズ先端を打込対象物から離して、打込動作を最初からやり直すという面倒さがあった。
【０００７】
従って、本発明の目的は、連続打込動作と単発打込動作とを切換えることができる固着具打込機において、単発打込動作を確実に行うだけでなく、トリガレバーの旋回中心を移動させる形式のトリガ装置の課題を解消することにある。
【０００８】
【課題を解決する手段】
上記課題を解決するため、本発明は、固着具打込機の本体に根元部が軸支されたトリガレバーと、トリガレバーの先端側に軸支され、トリガバルブのバルブピンを押込み得るようにトリガレバーの根元部の方に延びたトリップレバーと、固着具打込機のノーズの先端部からトリガレバー近くまで延び、ノーズ先端部が打込対象物に押しつけられない限りトリップレバーをトリガバルブピンを押込める有効作動位置には保持しない安全アームと、トリガレバーをひいたままノーズ先端部を打込対象物に押付ける毎に固着具を打込む連続打ち動作とノーズ先端部を打込対象物に押付けて且つトリガレバーの引き操作を行うときにだけ固着具を打込む単発打ち動作とを切換える打込動作切換手段とを有する固着具打込機のトリガ装置であって、前記打込動作切換手段は、トリガレバーの軸部に近い打込機本体において該軸部とほぼ平行に延びる旋回軸に旋回可能に支持された打込動作切換レバーから成り、該打込動作切換レバーは、前記旋回軸から安全アームの先端及びトリップレバーの先端に係合するように延びた連続打込動作部分と、該連続打込動作部分に前記旋回軸の軸方向に並んで旋回軸から安全アームの先端及びトリップレバーの先端に係合するように延びるが前記連続打込動作部分より短く形成された単発打込動作部分とを備え、更に、該打込動作切換レバーを前記旋回軸の軸方向に移動させて前記連続打込動作部分を有効にする連続打込動作位置または前記単発打込動作部分を有効にする単発打込動作位置に選択的に支持する選択手段が設けられており、前記連続打込動作部分の先端は、安全アーム先端の運動がトリップレバーの先端に伝達されるように安全アームの先端とトリップレバーの先端とに係合できる位置にあって、トリガレバーをひいたままノーズ先端部を打込対象物に押付けるとトリガバルブのバルブピンが駆動され、及び、ノーズ先端を打込対象物に押付けた状態でトリガレバーの引き操作を行うとバルブピンが駆動されるように、形成され、前記単発打込動作部分の先端は、安全アーム先端に係合できる位置であって且つ安全アームが該単発打込動作部分の先端を押圧係合した状態でトリガレバーを引き操作したときだけトリップレバーの先端に係合する位置にあり、ノーズ先端を打込対象物に押付けた状態でトリガレバーの引き操作を行うときだけバルブピンが駆動されるように、形成され、前記単発打込動作部分の長さは、トリガレバーの引き操作を行った後にノーズ先端を打込対象物に押付けた場合安全アーム先端が該単発打込動作部分を押圧係合しても該部分はトリップレバーには係合せず、またノーズ先端を打込対象物に押付けたままの状態でトリガレバーを解放するとトリップレバーが該単発打込動作部分の先端を越えてバルブピン側に旋回できる長さであって、更に、このトリップレバーが旋回した状態でのトリガレバーの再引き操作によって単発打込動作部分の先端が旋回したトリップレバーの先端に係合してバルブピンを駆動することができる長さである、ことを特徴とする固着具打込機のトリガ装置を提供する。
【０００９】
上記の通り、本発明によるトリガ装置において、トリガレバーの支持軸部は固定したままであるので、連続打込動作と単発打込動作とを切換えても、操作感覚に違和感を生ずることはなく、駆動のためのトリップレバーの旋回範囲が変化することもなく、単発打込動作を行う場合、トリガレバーを先に引いた後にノーズ先端を打込対象物に押圧したとき、ノーズ先端を打込対象物に押圧したままで、トリガレバーを解放して再度トリガレバーを引くと、固着具の単発打ちを可能にしており、連続打込動作において、トリガレバーをひいたままノーズ先端部を打込対象物に押付けるとトリガバルブのバルブピンが駆動されて固着具を打込むことができ且つノーズ先端を打込対象物に押付けた状態でトリガレバーの引き操作を行ってもバルブピンが駆動されて固着具を打込むことができ、連続打込動作が確実にでき、単発打込動作においては、ノーズ先端を打込対象物に押付けた状態でトリガレバーの引き操作を行うときだけバルブピンが駆動されるので、確実に単発打込動作ができ、この単発打込動作において、トリガレバーを先に引いた後にノーズ先端を打込対象物に押圧したときは、ノーズ先端を打込対象物に押圧したままで、トリガレバーを解放して再度トリガレバーを引くことによって固着具が対象物に打込まれ、作業者には一旦ノーズを対象物から離して再度位置決めする手間が必要でなくなる。
【００１３】
請求項２に記載のトリガ装置において、前記選択手段は、打込動作切換レバーを、その旋回軸の軸方向に、前記連続打込動作位置と前記単発打込動作位置との間で移動させるように、打込機本体にスライド可能に設けた棒状の選択部材で形成され、該棒状選択部材には、打込動作切換レバーを選択した前記位置に保持する保持手段が係合しているので、打込動作の切換えは、棒状選択部材をスライドさせるだけの簡単な操作で行える。
【００１４】
【発明の実施の形態】
以下、本発明の実施例を図について説明する。先ず、図１を参照すると、固着具打込機の一例である釘打機１は、内部にシリンダを有する本体２を備え、該本体２と一体的にハンドル３が取付けられている。周知のように、本体２内のシリンダには、固着具（本例では釘）を打込むための打撃部材５を支持するピストンが、図１の上下方向にスライド可能に収容されている。本体２の先端（下端）には、ノーズ６が設けられ、打撃部材５はこのノーズ６を貫通して移動し、ノーズ６に給送される釘をノーズ先端から対象物に打ち込む。ハンドル３には、固着具の一例である釘の連結体をコイル状に収容するマガジン７が支持される。ノーズ６には送り機構によりマガジン７から釘が送り込まれる。これらの機構はよく知られているので、これ以上の詳細な説明は省略する。
【００１５】
図２及び図３に詳細に示すように、ハンドル３には、打撃部材５を打込むのを制御するためにトリガ装置９が設けられている。トリガ装置９は、ハンドル３に設けられたトリガバルブ１０と、本体２に根元部が軸支されたトリガレバー１１とを包含しており、基本的には、トリガレバー１１の操作によって、トリガバルブ１０から本体２の上部のメインバルブに加圧空気を送ったり加圧空気を排気したりして、打撃部材５の打込み及び復帰を制御している。また、打込対象物に釘打機のノーズが押し当てられていない状態では釘の打ち出しを阻止する安全機構が設けられている。その機構は、トリガレバー１１の先端側に軸支され、トリガバルブ１０のバルブピン１３を押さえ得るようにトリガレバー１１の根元部の方に延びたトリップレバー１４と、ノーズ６の先端部からトリガレバー１１まで延び、ノーズ先端部が打込対象物に押しつけられない限りトリップレバー１４をトリガバルブピン１３を押し上げる有効作動位置には保持しない安全アーム１５とを含む。トリップレバー１４の枢支ピン１７には、トリップレバー１４の先端を上方に軽く付勢するばね１８が設けられており、ばね１８の他側は、トリガレバー１１の指当て部の内壁に当接している。従って、トリップレバー１４の先端側は常時バルブピン１３に軽く当接している。また、このばね１８の作用により、本体２の枢支用軸部１９を中心に旋回するトリガレバー１１が、非操作時には、図１〜３において時計方向に付勢され、トリガレバー１１の先端は下方に位置する。安全アーム１５の上端側と本体２との間にはコイルばね２１が設けられて安全アーム１５を下方に付勢しており、安全アーム１５を押上げる力すなわちノーズ６の先端を打込対象物に押付ける力が加わらない限り、安全アーム１５は、図１〜３に示す、下方に下げた位置にある。なお、バルブピン１３にはコイルばね１３ａが設けられ、通常時はバルブピン１３を下方に押下げるように付勢している。
【００１６】
トリガ装置９には、トリガレバー１１をひいたままノーズ６の先端部を打込対象物に押付ける毎に釘を打込む連続打込動作と、ノーズ先端部を打込対象物に押付けて且つトリガレバー１１の引き操作を行うときにだけ固着具を打込む単発打ち動作とを切換える打込動作切換手段が設けられている。本発明において、打込動作切換手段は、釘打機本体２の、トリガレバー１１の枢支用軸部１９に近い位置に、該軸部１９とほぼ平行に延びる旋回軸２２に旋回可能に支持された打込動作切換レバー２３で成る。この打込動作切換レバー２３は、旋回軸２２に旋回可能に支持されるだけでなく、旋回軸２２の軸方向にスライド可能に支持されている。打込動作切換レバー２３は、上記のように、連続打込動作と単発打込動作とを切換えるものであり、そのために、連続打込動作部分２５と単発打込動作部分２６とを有し、本実施例では両部分２５及び２６は一体成形されている。連続打込動作部分２５は、旋回軸２２から安全アーム１５の先端２７及びトリップレバー１４の先端２９に係合するように長く延びて形成されている。単発打込動作部分２６は、旋回軸２２の軸方向にみて連続打込動作部分２５に並んで形成されており、旋回軸２２から安全アーム先端２７及びトリップレバー先端２９に係合するように延びているが、連続打込動作部分２５より短く形成されている。すなわち、連続打込動作部分２５は、単発打込動作部分２６より、突出部分３０の分だけ長い。なお、打込動作切換レバー２３の旋回軸２２には、ばね２２ａが設けられており、該レバー２３の先端側の部分を安全アーム１５の先端２７の側に押付けるように付勢している。
【００１７】
更に詳しくは、連続打込動作部分２５は、先端の突出部分３０が、安全アーム１５の上昇運動をトリップレバー１４に伝達するように安全アーム先端２７とトリップレバー先端２９とに係合できる位置にある。従って、トリガレバー１１をひいたままノーズ６の先端部を打込対象物に押付けると、アーム先端２７に押上げられた連続打込動作部分２５の突出部分３０がトリップレバー１４を介してトリガバルブ１０のバルブピン１３を駆動する。また、ノーズ先端を打込対象物に押付けた状態でトリガレバー１１の引き操作を行っても同様にバルブピン１３が駆動される。
【００１８】
短い長さの単発打込動作部分２６は、その先端が、安全アーム先端２７に係合できる位置で且つ該安全アーム先端２７によって押圧された状態でトリガレバー１１を引き操作したときだけトリップレバー１４の先端２９に係合する位置にある。従って、ノーズ６の先端を打込対象物に押付けた状態でトリガレバー１１の引き操作を行うときだけバルブピン１３が駆動される。そして、単発打込動作部分２６の長さは、先にトリガレバー１１の引き操作を行った後にノーズ先端を打込対象物に押付けるとトリップレバー１４の先端２９には係合せず、前記操作の後トリガレバー１１を解放するとトリップレバー１４が該単発打込動作部分の先端を越えてバルブピン１３側に旋回できる程度の短さではあるが、その旋回後のトリップレバーの先端には係合できる長さに形成されている。従って、トリガレバー１１の再引き操作によって単発打込動作部分２６の先端は、トリップレバー１４の先端２９にバルブピン１３を駆動するように係合できる。
【００１９】
更に、打込動作切換レバー２３を、旋回軸２２に沿ってスライドさせて、連続打込動作部分２５または単発打込動作部分２６を選択的に有効にする選択手段が設けられている。この選択手段は本体２にスライド可能に設けた棒状の選択部材３１で成る。選択部材３１は、旋回軸２２に隣接して該旋回軸２２に平行にスライドするように、本体２に設けられている。選択部材３１には、打込動作切換レバー２３の根元部分の突出部３３を受け入れる凹部３４が形成されて、選択部材３１は、そのスライドによって打込動作切換レバー２３を旋回軸２２の軸方向にスライドできるように打込動作切換レバー２３に連結される。これによって、打込動作切換レバー２３を、旋回軸２２の軸方向に、連続打込動作部分２５がトリップレバー１４の先端２９に係合可能な連続打込動作位置と、単発打込動作部分２６がトリップレバー１４の先端２９に係合可能な単発打込動作位置との間で移動させることができる。例えば、図２の矢印３５の方向に選択部材３１をスライドさせると、打込動作切換レバー２３は、連続打込動作部分２５を有効にする連続打込動作位置になる。図３の矢印３７の方向に選択部材３１をスライドさせると、打込動作切換レバー２３は、単発打込動作部分２６を有効にする単発打込動作位置になる。更に、図２に示されるように、棒状の選択部材３１には、打込動作切換レバー２３を選択した位置（連続打込動作位置または単発打込動作位置）に保持する手段が設けられている。図示の実施例では、選択部材３１の連続打込動作位置及び単発打込動作位置に対応した位置には、切込み３８及び３９が形成され、これらの切込みに係合するボール４１と、ボール４１を切込み３８及び３９の方向に押圧するばね４２とから成るボールクリック手段が、本体２の側に設けられている。
【００２０】
動作について、先ず、連続打込動作の場合を、図４(a) 〜(e) 及び図５(a) 〜(e) を参照しながら説明する。連続打込動作の場合、棒状の選択部材３１が図２の矢印３５の方向に押圧され、図２のように、打込動作切換レバー２３が、連続打込動作部分２５を有効にする連続打込動作位置にされる。従って、図４及び図５においては、打込動作切換レバー２３の連続打込動作部分２５だけを示している。図４(a) は連続打込動作の初期状態を示す。この初期状態において、連続打込動作部分２５の先端（突出部分３０）は安全アーム１５の先端（２７）に係合し、トリップレバー１４の先端（２９）はトリガバルブのバルブピン１３に接触している。図４(b) 〜(e) は、トリガレバー１１をひいたままノーズ６の先端部を打込対象物に押付けたり離したりして、安全アーム１５を押上げたり戻したりする連続打込動作を示している。(b) においてトリガレバー１１を引き操作し、(c) において安全アーム１５を押上げると、この押上げ運動は、連続打込動作部分２５を反時計方向に旋回させ、この連続打込動作部分２５の突出部分３０によってトリップレバー１４の先端が押圧されて、トリップレバー１４が枢支ピン１７を中心に時計方向に回動しバルブピン１３を駆動させる。これによって、図１の本体２のメインピストンの背面に圧縮空気が供給され、打撃部材５が釘をノーズ６から打ち出して打込対象物に打込む。図４(d) において、ノーズの先端部を打込対象物から離して安全アーム１５を下方に戻すと、連続打込動作部分２５もばね２２ａ（図３参照）によって時計方向に旋回し、トリップレバー１４の押圧がなくなり、バルブピン１３が戻って、打撃部材５が復帰する。(e) において、再度、安全アーム１５を押上げると、連続打込動作部分２５が再度反時計方向に旋回し、トリップレバー１４の先端が押圧されてバルブピン１３を駆動させ、打撃部材５が釘を打込む。このようにして、トリガレバー１１をひいたままノーズ先端部を打込対象物に押付けたり離したりすることによって連続打込動作が行われる。
【００２１】
図５の(a) 〜(e) は、ノーズ先端を打込対象物に押付けた状態でトリガレバー１１を引いたり離したりする連続打込動作を示している。図５(a) は図４(a) と同じ初期状態を示す。図５(b) において、ノーズ先端を打込対象物に押圧して安全アーム１５を押上げ、連続打込動作部分２５を反時計方向に旋回させ、その先端をトリップレバー１４の先端に係合させる。次に、(c) においてトリガレバー１１を引くとトリップレバー１４は連続打込動作部分２５に係合した先端を中心に時計方向に回動上昇して、バルブピン１３を駆動させる。これによって、打撃部材５が駆動されて釘がノーズ６から打ち出され打込対象物に打込まれる。(d) において、トリガレバー１１を解放すると、トリップレバー１４が下降して(b) と同じ状態に戻り、トリップレバー１４の押圧がなくなり、バルブピン１３が戻って、打撃部材５が復帰する。(e) において、再度トリガレバー１１を引くと、トリップレバー１４が再度上昇し、バルブピン１３を駆動させ、打撃部材５が釘を打込む。このようにして、ノーズ先端を打込対象物に押付けた状態でトリガレバーを引いたり離したりすることにより、連続打込動作が行われる。
【００２２】
単発打込動作の場合を、図６(a) 〜(f) 及び図７(a) 〜(e) を参照しながら説明する。単発打込動作の場合、棒状の選択部材３１が図３の矢印３７の方向に押圧され、図３のように、打込動作切換レバー２３が、単発打込動作部分２６を有効にする単発打込動作位置にされる。従って、図６及び図７においては、打込動作切換レバー２３の、短いほうの単発打込動作部分２６だけを示している。図６(a) 及び図７(a) は、いずれも単発打込動作の初期状態を示す。この初期状態において、単発打込動作部分２６の先端は安全アーム１５の先端に係合し、トリップレバー１４からは大きく離れている。また、トリップレバー１４はバルブピン１３に接触している。
【００２３】
単発打込動作とは、ノーズ先端部を打込対象物に押付け且つトリガレバーの引き操作を行うときにだけ釘等の固着具を打込む動作である。先ず、図６の(b) において、釘打機１のノーズ６が、打込対象物に押し当てられて、安全アーム１５が押上げられて、単発打込動作部分２６を反時計方向に旋回させる。しかし、単発打込動作部分２６は短いので、この状態では、単発打込動作部分２６の先端はトリップレバー１４の先端に係合していない。次に、(c) において、トリガレバー１１を引くと、トリガレバー１１は枢支用軸部１９を中心に旋回し、トリップレバー１４の全体がその旋回に伴って旋回し、この旋回によってトリップレバー１４の先端が単発打込動作部分の先端に係合する。トリガレバー１１の旋回の続行により、単発打込動作部分の先端に係合したトリップレバー１４は、単発打込動作部分に係合した先端部を中心に反時計方向に回動上昇し、バルブピン１３を駆動させ、これによって、打撃部材５が駆動されて１発の釘がノーズ６から打ち出され打込対象物に打込まれる。次に、ノーズ先端を打込対象物から離すと、安全アーム１５が下方に移動し、単発打込動作部分２６も時計方向に旋回する。この旋回によって、トリップレバー１４の先端との係合が外れて、バルブピン１３のコイルばね１３ａの押下げ力によって、バルブピン１３はトリップレバー１４とともに下方に復帰して、打撃部材５も復帰する。この状態から、(e) に示すように、トリガレバー１１を解放すると、(a) の初期状態となる。しかし、釘を打込んだときの反動等でノーズが打込対象物から一旦離れて直ぐに打込対象物に再度押しつけられる場合がある。(f) はその再押付けを示している。トリガレバー１１引いたままの状態でのノーズの再押付けによって、安全アーム１５が押上げられて、単発打込動作部分２６が反時計方向に旋回しても、(f) に示すように、既にトリップレバー１４の先端は単発打込動作部分２６の先端より下方に位置しており、単発打込動作部分２６はトリップレバー１４に係合せず、釘が発射されることはない。すなわち、単発打込動作が確実に保証されている。
【００２４】
次に、単発打込動作において、図７(a) の初期状態から、図７(b) に示すようにトリガレバー１１を先に引いた場合を説明する。(b) において、トリガレバー１１を引くと、トリガレバー１１は軸部１９を中心に旋回し、トリップレバー１４の全体がその旋回に伴って旋回しようとするが、バルブピン１３のコイルばね１３ａの押下げ力によって、トリップレバー１４が押下げられる。次に、(c) において、ノーズを打込対象物に押し当てて安全アーム１５を押上げると、単発打込動作部分２６は反時計方向に旋回する。単発打込動作部分２６は既述の通り短く形成されているので、単発打込動作部分２６の先端は、トリップレバー１４の先端に係合しないまま、トリップレバー１４を越えて上方に移動する。従って、トリガバルブのバルブピン１３は駆動されず、釘の打込みはなされない。これによって、トリガレバーを先に引いた状態でノーズ先端を何かに押付けた場合の不用意な釘の発射（すなわち誤射）を防止できる。
【００２５】
(a) (b) (c) (d) (e) (f)
ノーズ先端を打込対象物に適正に押付けた状態においては、その押付けを維持したまま、トリガレバーの操作だけで単発打込動作が可能になるのが望ましい。本発明においては、トリガレバーの枢支位置を変化するのでなく、安全アームとトリップレバーとを関連付ける打込動作切換レバー２３を本体２に設け、打込動作切換レバー２３の単発打込動作部分２６を既述の通り一定の短い長さに形成することによって、単発打込動作位置において、ノーズ先端を打込対象物に押付けたままでも、トリガレバーの操作だけで単発打込動作を可能にしている。図７の(c) のノーズ先端を打込対象物に押付けた後、図７(d) に示すように、トリガレバー１１を解放すると元の位置に戻るように旋回する。この旋回によって、トリップレバー１４も一緒に移動し、トリップレバー先端が、単発打込動作部分２６の先端を越えた位置でバルブピン１３に接触する。その後、(e) に示すように、トリガレバー１１を再度引き操作すると、トリガレバー１１は軸部１９を中心に旋回し、トリップレバー１４も全体が旋回し、トリップレバー１４の先端が単発打込動作部分の先端に係合する。トリガレバー１１の旋回を続行すれば、単発打込動作部分の先端に係合したトリップレバー１４は単発打込動作部分２６に係合した先端部を中心に反時計方向に回動上昇して、バルブピン１３を駆動させ、打撃部材５が駆動されて１発の釘が打込対象物に打込まれる。従って、ノーズ先端を打込対象物に押付けたままで、トリガレバーを引いたり離したりする操作で単発打込動作を行うことができる。
【００２６】
【発明の効果】
本発明によれば、連続打込動作と単発打込動作とを切換えることができる固着具打込機において、単発打込動作を確実に行うことができ、トリガレバーの支持軸部は固定したままであるので、トリガレバー全体を移動させることがなく、連続打込動作と単発打込動作とを切換えても、操作感覚に違和感を生ずることはなく、駆動のためのトリップレバーの旋回範囲が変化することもない。また、連続打込動作は確実に行い、且つ、確実に、単発打込動作もできる。更に、単発打込動作を行う場合、二重打込みは確実に防止でき、それだけでなく、トリガレバーを先に引いた後にノーズ先端を打込対象物に押圧したとき、ノーズ先端を打込対象物に押圧したままで、トリガレバーを解放して再度トリガレバーを引くと、固着具の単発打ちを可能にしている。従って、作業者は対象物へのノーズを対象物から離して再度位置決めする手間がない。
【００２７】
そして、打込動作切換レバーの動作位置選択手段は、打込動作切換レバーを、その旋回軸の軸方向に、前記連続打込動作位置と前記単発打込動作位置との間で移動させるように、打込機本体にスライド可能に設けた棒状の選択部材で形成することができ、打込動作の切換えを、棒状選択部材をスライドさせるだけの簡単な操作で行える。
【図面の簡単な説明】
【図１】本発明の一実施例を示す釘打機の一部を破断した正面図である。
【図２】図１の釘打機のトリガ装置であって、連続打込動作位置にあるトリガ装置の破断斜視図である。
【図３】単発打込動作位置にある図２のトリガ装置の斜視図である。
【図４】図２のトリガ装置の連続打込動作においてトリガレバーを引いてからノーズを打込対象物に押付ける場合の動作順を示す説明図である。
【図５】図２のトリガ装置の連続打込動作においてノーズを打込対象物に押付けてからトリガレバーを引く場合の動作順を示す説明図である。
【図６】図３のトリガ装置の単発打込動作においてノーズを打込対象物に押付けてからトリガレバーを引く場合の動作順を示す説明図である。
【図７】図３のトリガ装置の単発打込動作においてトリガレバーを引いてからノーズを打込対象物に押付ける場合の動作順を示す説明図である。
【符号の説明】
１  固着具打込機としての釘打機
２  釘打機本体
３  ハンドル
５  打撃部材
６  ノーズ
７  マガジン
９  トリガ装置
１０  トリガバルブ
１１  トリガレバー
１３  バルブピン
１４  トリップレバー
１５  安全アーム
１７  枢支ピン
１８  ばね
１９  トリガレバーの枢支軸部
２２  打込動作切換レバーの旋回軸
２３  打込動作切換レバー
２５  連続打込動作部分
２６  単発打込動作部分
３０  突出部分
３１  棒状選択部材
３８、３９  選択部材の切込み
４１  ボール
【図１】
0003825866.tif 000002
【図２】
0003825866.tif 000003
【図３】
0003825866.tif 000004
【図４】
0003825866.tif 000005
【図５】
0003825866.tif 000006
【図６】
0003825866.tif 000007
【図７】
0003825866.tif 000008